(57)【特許請求の範囲】
【請求項１】
表示装置の表示エリアを複数に分割した分割表示エリアそれぞれに映像信号を並列に出力する映像信号処理装置において、
上記分割表示エリアそれぞれに入力される映像信号の同期を取る同期部と、
上記同期部に入力される各映像信号に対して、それぞれに対応する分割表示エリアで映像表示を行うための映像信号に決められたクロック周波数および同期信号のフォーマットで示される表示基準を満たしているか否かを判定する表示基準判定部と、
上記表示基準判定部によって映像表示を行うための表示基準を満たしていないと判定された映像信号を、当該映像信号が入力される分割表示エリアを特定するための映像を表示するための映像信号に置換する信号置換部とを有し、
上記信号置換部は、
上記表示基準判定部によって映像表示を行うための表示基準を満たしていないと判定された映像信号を、上記表示基準判定部によって分割表示エリアに表示可能であると判定された映像信号のうち、何れかの映像信号に置換することを特徴とする映像信号処理装置。
【請求項２】
上記信号置換部は、
上記表示基準判定部によって映像表示を行うための表示基準を満たしていないと判定された映像信号を、上記表示基準判定部によって映像表示を行うための表示基準を満たしていると判定された映像信号のうち、予め設定した優先順位の高い映像信号に置換することを特徴とする請求項１に記載の映像信号処理装置。
【請求項３】
請求項１または２に記載の映像信号処理装置を備えた映像表示装置。
【請求項４】
請求項１または２に記載の映像信号処理装置を備えた電子機器。
【発明の詳細な説明】
【技術分野】
【０００１】
本発明は、Ｆｕｌｌ  ＨＤよりも高い解像度（例えば４ｋ２ｋ以上）の映像を表示する映像表示装置に関する。
【背景技術】
【０００２】
近年、Ｆｕｌｌ  ＨＤよりも高い解像度（例えば４ｋ２ｋ以上）の映像を表示する映像表示装置が提案されている。
【０００３】
このような高解像度の映像を表示する映像表示装置では、表示エリアを複数に分割して、分割された表示エリア（分割表示エリア）それぞれに、高解像度の映像を複数に分割した映像信号を入力して、高解像度の映像を表示するようになっている（特許文献１等）。
【先行技術文献】
【特許文献】
【０００４】
【特許文献１】特開２０１１−１８０３３６号公報（２０１１年９月１５日公開）
【発明の概要】
【発明が解決しようとする課題】
【０００５】
ところで、表示エリアを複数に分割して、各分割表示エリアそれぞれに、高解像度の映像を複数に分割した映像信号を入力して、高解像度の映像を表示する場合、それぞれの分割表示エリアに入力される映像信号の同期を取る必要がある。
【０００６】
例えばスーパーハイビジョン（ＳＨＶ)用の映像表示装置では、表示エリアが１６分割され、映像信号が１６分割され、分割表示エリアそれぞれに分割された１６本の映像信号が並列に入力処理される。このため、分割された１６本の映像信号のうち正常に入力されない映像信号があれば、同期が適切に取れず、例えば図３（ａ）（ｂ）に示すように、画面が乱れたり、画面が表示されなかったりなどの不具合が生じる。
【０００７】
これは、１６本の映像信号がそれぞれ独立し、且つ、互いに同期を取るための信号を含んでいるため、そのうちの１本でも正常に入力されなければ、その正常に入力されない映像信号に対応する映像を表示する分割表示エリアに何も表示するものがなくなり、かつ、同期をとる手段がたたれるためである。
【０００８】
このように、画面が乱れれば、分割表示エリアに入力される映像信号のうち、正常に入力されなかった映像信号が存在することが分かるものの、正常に入力されなかった映像信号を特定するのは容易ではない。この場合には、映像信号を１本ずつ確認する必要があるため、画面の乱れの原因となる映像信号、すなわち正常でない映像信号の特定に時間を要するという問題が生じる。
【０００９】
本発明は、上記問題点に鑑みなされたものであって、その目的は、表示エリアを複数に分割して、各分割表示エリアそれぞれに、高解像度の映像を複数に分割した映像信号を入力させて、高解像度の映像を表示する映像表示装置において、分割された映像信号のうち、正常でない映像信号が含まれている場合に、当該正常でない映像信号の特定にかかる時間を大幅に短縮できる映像信号処理装置及び映像表示装置を提供することにある。
【課題を解決するための手段】
【００１０】
本発明の映像信号処理装置は、上記の課題を解決するために、表示装置の表示エリアを複数に分割した分割表示エリアそれぞれに映像信号を並列に出力する映像信号処理装置において、
上記分割表示エリアそれぞれに入力される映像信号の同期を取る同期部と、
上記同期部に入力される各映像信号に対して、それぞれに対応する分割表示エリアで映像表示を行うための表示基準を満たしているか否かを判定する表示基準判定部と、
上記表示基準判定部によって映像表示を行うための表示基準を満たしていないと判定された映像信号を、当該映像信号が入力される分割表示エリアを特定するための映像を表示するための映像信号に置換する信号置換部とを有することを特徴としている。
【００１１】
上記の構成によれば、分割表示エリアそれぞれに入力される映像信号の同期を取る同期部に入力される各映像信号に対して、それぞれに対応する分割表示エリアで映像表示を行うための表示基準を満たしているか否かを判定し、表示基準を満たしていないと判定された映像信号を、当該映像信号が入力される分割表示エリアを特定するための映像を表示するための映像信号に置換することで、複数に分割された映像信号のうち、表示基準を満たしていないと判定された映像信号（正常でない映像信号）に対応する表示エリアには、本来の映像とは異なる映像が表示されることになる。
【００１２】
ここで、分割表示エリアで映像表示を行うための表示基準とは、映像信号に決められたクロック周波数および同期信号のフォーマットを示す。つまり、上記表示基準判定部は、映像信号のフォーマットが予め決められたフォーマットであるか否かを判定することになる。
【００１３】
また、上記本来の映像とは異なる映像を表示させるための映像信号としては、例えば、他の表示エリアに表示する映像信号であってもよいし、信号のステータスを表示するための映像信号であってもよく、正常でないと判定された映像信号に対応する分割表示エリアが特定できるような映像を表示させるための信号であればどのような信号であってもよい。
【００１４】
このように、本来の映像とは異なる映像が表示された分割表示エリアには、当該分割表示エリアに表示可能な映像信号に対応する映像が表示されるので、従来のように、正常でない映像信号がそのまま同期部に入力されることが無いため、映像信号の同期がとれないことによる、映像表示装置の表示画面全体が乱れたり、何も表示されなかったりといった事態を招かない。
【００１５】
また、本来の映像とは異なる映像が表示された分割表示エリアは、本来の映像が表示されている分割表示エリアから容易に区別することができるので、当該分割表示エリアに対応する映像信号が正常な表示が行えない映像信号（正常でない映像信号）として容易に特定することができる。
【００１６】
従って、分割された映像信号のうち、正常でない映像信号が含まれている場合に、当該正常でない映像信号の特定にかかる時間を大幅に短縮できるという効果を奏する。
【００１７】
上記信号置換部は、
上記表示基準判定部によって映像表示を行うための表示基準を満たしていないと判定された映像信号を、上記表示判断部によって分割表示エリアに表示可能であると判定された映像信号のうち、何れかの映像信号に置換することが好ましい。
【００１８】
上記の構成によれば、本来の映像とは異なる映像を別途作成する必要がないので、分割された映像信号のうち、正常でない映像信号が含まれている場合に、当該正常でない映像信号の特定にかかる時間をさらに短縮させることが可能となる。
【００１９】
上記信号置換部は、
上記表示基準判定部によって映像表示を行うための表示基準を満たしていないと判定された映像信号を、上記表示基準判定部によって映像表示を行うための表示基準を満たしていると判定された映像信号のうち、予め設定した優先順位の高い映像信号に置換することが好ましい。
【００２０】
上記の構成によれば、本来の映像とは異なる映像を別途作成する必要がなく、しかも、どの映像を表示させるかの優先順位が予め決まっているので、分割された映像信号のうち、正常でない映像信号が含まれている場合に、当該正常でない映像信号の特定にかかる時間をさらに短縮させることが可能となる。
【００２１】
上記信号置換部は、
上記表示基準判定部によって映像表示を行うための表示基準を満たしていないと判定された映像信号を、当該映像信号の解析結果を示す映像信号に置換することが好ましい。
【００２２】
上記の構成によれば、正常でない映像信号の特定と、正常でない映像信号の原因とが特定できるので、正常な映像信号に戻すまでの時間を短縮させることができる。
【００２３】
上記映像信号の解析結果を示す映像信号は、クロック周波数、水平解像度、垂直解像度の少なくとも一つを表示する映像信号であることが好ましい。
【００２４】
上記の構成によれば、正常でない映像信号の解析結果として、クロック周波数、水平解像度、垂直解像度の少なくとも一つを表示することで、ユーザ（映像調整者）は、正常な映像信号にするために、どのようにすればよいのかを迅速に把握することができる。
【００２５】
上記信号置換部は、
上記表示基準判定部によって映像表示を行うための表示基準を満たしていないと判定された映像信号を、当該映像信号が入力される分割表示エリア全面を同一色で表示する色信号に置換することが好ましい。
【００２６】
上記の構成によれば、本来の映像とは異なる映像を、色信号に置換されるので、分割された映像信号のうち、正常でない映像信号が含まれている場合に、当該正常でない映像信号を目立たせることができ、その結果、当該映像の特定にかかる時間をさらに短縮させることが可能となる。
【００２７】
上記色信号は、分割表示エリア全面を黒色に塗りつぶすための黒べた信号であることが好ましい。
【００２８】
上記の構成によれば、正常でない映像信号を他の映像信号と容易に区別することが可能となるので、当該映像の特定にかかる時間をさらに短縮させることが可能となる。
【００２９】
上記映像信号処理装置は、映像表示装置に搭載するのが好ましい。
【００３０】
従って、分割された映像信号のうち、正常でない映像信号が含まれている場合に、映像表示装置を確認するだけで、ユーザは当該正常でない映像信号を容易に特定でき、その結果、正常でない映像信号の特定にかかる時間を大幅に短縮できる。
【００３１】
上記映像信号処理装置は、各種電子機器に搭載するのが好ましい。
【発明の効果】
【００３２】
本発明の映像信号処理装置は、表示装置の表示エリアを複数に分割した分割表示エリアそれぞれに映像信号を並列に出力する映像信号処理装置において、上記分割表示エリアそれぞれに入力される映像信号の同期を取る同期部と、上記同期部に入力される各映像信号に対して、それぞれに対応する分割表示エリアで映像表示を行うための表示基準を満たしているか否かを判定する表示基準判定部と、上記表示基準判定部によって映像表示を行うための表示基準を満たしていないと判定された映像信号を、当該映像信号が入力される分割表示エリアを特定するための映像を表示するための映像信号に置換する信号置換部とを有することで、分割された映像信号のうち、正常でない映像信号が含まれている場合に、当該正常でない映像信号の特定にかかる時間を大幅に短縮できるという効果を奏する。
【図面の簡単な説明】
【００３３】
【図１】本発明の一実施の形態に係る映像表示装置の概略構成ブロック図である。
【図２】図１に示す映像表示装置における映像信号の分配処理を説明するための図である。
【図３】図１に示す映像表示装置における効果を説明するための図である。
【図４】本発明の他の実施の形態に係る映像表示装置の概略構成ブロック図である。
【図５】図４に示す映像表示装置における効果を説明するための図である。
【図６】本発明のさらに他の実施の形態に係る映像表示装置の概略構成ブロック図である。
【図７】図６に示す映像表示装置における効果を説明するための図である。
【発明を実施するための形態】
【００３４】
＜実施の形態１＞
本発明の一実施の形態について説明すれば以下の通りである。
【００３５】
なお、本実施の形態では、本発明の映像表示装置として、解像度が８ｋ４ｋ（７６８０×４３２０ドット）のスーパーハイビジョン映像を表示する映像表示装置について説明する。
【００３６】
ところで、Ｆｕｌｌ  ＨＤ（１９２０×１０８０ドット）よりも高解像度の映像は、放送波や映像メディアにおいて現在規格化されていないため、高解像度の映像信号をそのまま伝送して映像表示装置１０１に入力することができない。
【００３７】
そこで、映像を複数に分割することで、分割映像の解像度をＦｕｌｌ  ＨＤ程度にまで落とし込み、放送波や映像メディアによって伝送して映像表示装置１０１に入力することが考えられている。
【００３８】
本実施の形態では、解像度７６８０×４３２０ドットの元映像を、１６個の解像度１９２０×１０８０ドットの映像に分割した場合について説明する。
【００３９】
（映像表示装置の概略説明）・・・・・図１
図１は、本実施の形態に係る映像表示装置１０１の概略構成ブロック図である。
【００４０】
上記映像表示装置１０１は、図１に示すように、液晶パネル１、液晶パネル駆動回路２、映像調整回路３、同期回路（同期部）４、信号分配回路（信号置換部）５、入力信号判定回路（表示基準判定部）６を含んでいる。
【００４１】
上記液晶パネル１は、解像度が８ｋ４ｋ（７６８０×４３２０ドット）であり、上述のように、１９２０×１０８０ドットの映像が１６個表示できるように、表示エリアが１６個に分割され、分割されたそれぞれの表示エリア（分割表示エリア）が独立して駆動できるようになっている。
【００４２】
上記液晶パネル駆動回路２は、液晶パネル１における１６個の分割表示エリアに対して、独立して駆動するようになっている。具体的には、映像調整回路３からの映像信号を液晶パネル１の対応する分割表示エリアに供給することで、それぞれの分割表示エリアに対応する映像を表示させるようになっている。
【００４３】
上記映像調整回路３は、同期回路４からの各映像信号に対して、映像の色味やガンマ、明るさやコントラストなどの調整を行うようになっている。
【００４４】
上記同期回路４は、信号分配回路５からの１６本の映像信号の同期を図り、後段の映像調整回路３に出力するようになっている。
【００４５】
上記信号分配回路５は、１６本の映像信号（入力１〜入力１６）が入力され、後段の入力信号判定回路６に転送し、当該入力信号判定回路６からの判定結果に応じて、１６本の映像信号（入力１〜入力１６）のいずれかを分配して、同期回路４に出力するようになっている。
【００４６】
上記入力信号判定回路６は、信号分配回路５からの映像信号（入力１〜入力１６）が正常に送信された映像信号（ＣＨ）であるか否かを判定し、正常に送信されていない映像信号があれば、上記信号分配回路５に対して、正常に送信されていない映像信号に予め設定した優先順位の高い映像信号を分配するように指示する。
【００４７】
つまり、上記入力信号判定回路６は、上記同期回路４に入力される各映像信号（入力１〜入力１６）に対して、それぞれに対応する分割表示エリアで映像表示を行うための表示基準を満たしているか否かを判定する表示基準判定部として機能している。
【００４８】
ここで、分割表示エリアで映像表示を行うための表示基準とは、映像信号に決められたクロック周波数および同期信号のフォーマットを示す。つまり、上記表示基準判定部は、映像信号のフォーマットが予め決められたフォーマットであるか否かを判定することになる。つまり、映像信号が決まったフォーマットで入力されるので、クロック周波数および同期信号の周波数によって、映像信号が正常に送信された映像信号（正常な映像信号）であるか、正常に送信されていない映像信号（正常でない映像信号）であるかを判定している。
【００４９】
上記入力信号判定回路６からの指示を受けた信号分配回路５は、映像表示を行うための表示基準を満たしていないと判定された映像信号を、当該映像信号が入力される分割表示エリアを特定するための映像を表示するための映像信号に置換する信号置換部として機能する。つまり、信号分配回路５は、正常に送信されていない映像信号に予め設定した優先順位の高い映像信号を分配する。この場合の分配方法としては、例えば信号分配回路５の入力部にセレクタを配置して、どの入力の信号を入力するかを選択するようにする方法や、バッファ部、出力部などいろいろなところで信号配線をスイッチングする方法があり、何れの方法を採用してもよい。
【００５０】
以上のように、本実施の形態に係る映像表示装置１０１の構成要素である、上記映像調整回路３、同期回路４、信号分配回路５、入力信号判定回路６は、液晶パネル１に出力するための映像信号を処理する映像信号処理装置１１０を構成している。
【００５１】
上記構成の映像表示装置１０１において、解像度が８ｋ４ｋの液晶パネル１には、Ｆｕｌｌ  ＨＤ（１９２０×１０８０ドット）の映像信号が１６本のケーブルを用いて並列で入力される。これらの映像信号は、８ｋ４ｋの液晶パネル１の１６分の１の領域（分割表示エリア）の映像をそれぞれ担当している。
【００５２】
従来の映像表示装置であれば、上記の１６本のケーブルのうち１本でも映像信号が入らなかったり、映像信号の映像フォーマットが違ったりすると、すなわち映像信号が入っていないＣＨが存在すると、同期モジュールが映像全体の同期が取れず、画面が乱れたり、表示ができなかったりする。
【００５３】
しかしながら、上記構成の映像表示装置１０１では、映像信号が入ってないＣＨの担当する領域には、すなわち正常でない映像信号が入力される分割表示エリアには、他の領域の映像を分配することにより、画面全体の表示乱れを防ぐとともに、不具合のある映像信号経路を特定しやすくする。
【００５４】
（映像信号の置換処理）・・・・・・・図２
ここで、映像信号の置換処理について説明する。本実施の形態では、映像信号の置換処理を、信号分配回路５における映像信号の分配処理として、図２を参照しながら以下に説明する。
【００５５】
１６個の分割表示エリアにそれぞれ対応する１６本の映像信号を４つのグループに分け、それぞれのグループにおける優先順位および、グループ間の優先順位をつける。
【００５６】
つまり、信号分配回路５では、映像表示を行うための表示基準を満たしていないと判定された映像信号（以下、正常でない映像信号と称する）を、当該正常でない映像信号の一つ上の優先順位の映像信号に置換する（分配する）。
【００５７】
なお、すべての映像信号が正常でなければ、図２（ｄ）に示すように、「No Signal」の表示をする。
【００５８】
上記の優先順位は、たとえば、図２（ａ）に示すように、画面を縦横に４分割した領域（分割表示エリア）をそれぞれグループＡ、Ｂ、Ｃ、Ｄとして、Ａが最上位の優先順位を持つ。また、それぞれのグループのそれぞれの領域を左上から右に１、２、３、４の順位付けをする。
【００５９】
ここで、図２（ｂ）は、分割表示エリアＡ２、Ｄ２、Ｄ３に入力される映像信号に不具合が生じた場合を図示している。分割表示エリアＡ２には、グループ内の上位の領域である分割表示エリアＡ１に入力される映像信号が分配される。分割表示エリアＤ２には、グループ内の上位の領域である分割表示エリアＤ１に入力される映像信号が分配される。分割表示エリアＤ３には、一つ上の領域である分割表示エリアＤ２に入力される映像信号を分配することになっているが、当該分割表示エリアＤ２に入力される映像信号も不具合を生じているので、さらに上位の領域である分割表示エリアＤ１に入力される映像信号が分配される。
【００６０】
映像信号の分配を行うために、上述のように、特にグループ分けする必要はなく、図２（ｃ）に示すように、１６の分割表示エリアをまとめて優先順位をつけて、この優先順位に従って、映像信号の分配を行うようにしてもよい。
【００６１】
（効果説明）・・・・・・・・・・・・図３
図３は、本実施の形態に係る映像表示装置１０１における効果を説明するための図である。
【００６２】
通常、８ｋ４ｋなどの超高精細ディスプレイは、複数の映像信号を並列で入力している。マルチディスプレイのような複数のディスプレイを用いているものであれば、それぞれが独立して表示しているので、映像信号が正常に送信されない場合でも、そのディスプレイ単独で表示されないだけなので、特に問題は生じないが、１枚の液晶パネルで表示しようとした場合、複数の映像信号の同期を取り、表示する必要があるため、１本でも映像信号が正常に送信されなければ、同期を取ることができず、表示することができない。
【００６３】
このような場合、図３（ａ）に示すように、同期が乱れた映像になるか、図３（ｂ）に示すように、全面黒表示の映像になる。
【００６４】
このような表示の不具合では、どの映像信号に問題が生じているか把握することができず、映像信号を１本ずつ調べていく必要があり、正常でない映像信号を特定するまでに時間を要する。
【００６５】
しかしながら、本実施の形態に係る映像表示装置１０１では、１本でも映像信号が正常に送信されれば、正常に送信されていない映像信号を、正常に送信されている映像信号に置換することで、映像を表示することができ、正常に送信されていない映像信号を特定することが容易にできる。
【００６６】
すなわち、図３（ｃ）に示すように、不具合のあるＣＨ（正常でない映像信号が入力される分割表示エリア）では、データをコピーして表示することにより、どの映像信号に不具合があるかを特定することが容易になる。
【００６７】
また、８ｋ４ｋの信号源を用意することは難しいので、２ｋ１ｋ（Ｆｕｌｌ  ＨＤ）)の信号源をつないでも、図３（ｄ）に示すように、その画面がコピーされて全面に表示されることで、パネルの検査や、映像の調整が容易に可能になる。
【００６８】
以上のように、本実施の形態にかかる映像表示装置１０１の映像信号処理装置１１０によれば、液晶パネル１の分割表示エリアそれぞれに入力される映像信号の同期を取る同期回路４に入力される各映像信号に対して、それぞれに対応する分割表示エリアで映像表示を行うための表示基準を満たしているか否かを判定し、表示基準を満たしていないと判定された映像信号を、当該映像信号が入力される分割表示エリアを特定するための映像を表示するための映像信号に置換することで、複数に分割された映像信号のうち、表示基準を満たしていないと判定された映像信号（正常でない映像信号）に対応する表示エリアには、本来の映像とは異なる映像が表示されることになる。
【００６９】
このように、本来の映像とは異なる映像が表示された分割表示エリアには、当該分割表示エリアに表示可能な映像信号に対応する映像が表示されるので、従来のように、正常でない映像信号がそのまま同期部に入力されることが無いため、映像信号の同期がとれないことによる、映像表示装置の表示画面全体が乱れたり、何も表示されなかったりといった事態を招かない。
【００７０】
また、本来の映像とは異なる映像が表示された分割表示エリアは、本来の映像が表示されている分割表示エリアから容易に区別することができるので、当該分割表示エリアに対応する映像信号が正常な表示が行えない映像信号（正常でない映像信号）として容易に特定することができる。
【００７１】
従って、分割された映像信号のうち、正常でない映像信号が含まれている場合に、当該正常でない映像信号の特定にかかる時間を大幅に短縮できるという効果を奏する。
【００７２】
そして、本実施の形態では、映像表示を行うための表示基準を満たしていないと判定された映像信号を、分割表示エリアに表示可能であると判定された映像信号のうち、何れかの映像信号に置換するようにしている。具体的には、分割表示エリアに表示可能であると判定された映像信号に予め優先順位を割り振り、映像表示を行うための表示基準を満たしていないと判定された映像信号に対して、優先順位の高い映像信号に置換するようにしている。
【００７３】
なお、本実施の形態では、正常でない映像信号が入力される分割表示エリアには、正常な映像信号が入力されるように、映像信号が分配される例について説明したが、上記本来の映像とは異なる映像を表示させるための映像信号としては、例えば、他の表示エリアに表示する映像信号であってもよいし、信号のステータスを表示するための映像信号であってもよく、正常でないと判定された映像信号に対応する分割表示エリアが特定できるような映像を表示させるための信号であればどのような信号であってもよい。
【００７４】
また、正常でない映像信号が入力される分割表示エリアには、正常でない映像信号の解析結果を表示するようにしてもよい。
【００７５】
以下の実施の形態２では、正常でない映像信号が入力される分割表示エリアには、正常でない映像信号の解析結果を表示する例について説明する。
【００７６】
＜実施の形態２＞
（映像表示装置の概略説明）・・・・・図４
本発明の他の実施の形態について説明すれば、以下の通りである。なお、前記実施の形態１と同じ部材には、同じ符号を付記し、その詳細な説明は省略する。
【００７７】
図４は、本実施の形態に係る映像表示装置１０２の概略構成ブロック図である。
【００７８】
上記映像表示装置１０２は、図４に示すように、液晶パネル１、液晶パネル駆動回路２、映像信号処理装置１２０を含んでいる。
【００７９】
ここで、上記映像表示装置１０２が、前記実施の形態１の映像表示装置１０１と異なるのは、映像信号処理装置１２０では、映像信号処理装置１１０に含まれていた信号分配回路５を含んでいない点である。
【００８０】
すなわち、本実施の形態では、正常でない映像信号の代わりに他の映像信号を分配するのではなく、入力信号判定回路６によって、正常でない判定された映像信号が解析され、その解析結果を液晶パネル１の正常でない映像信号が入力されるべき分割表示エリアに表示させるようになっている。
【００８１】
入力信号判定回路６は、正常に送信されているＣＨ（正常な映像信号）は、スルーして、正常に送信されてないＣＨ（正常でない映像信号）があれば、その映像信号の解析結果を表示するための映像信号を同期回路４に出力する。
【００８２】
つまり、入力信号判定回路６は、分割された映像信号（入力１〜入力１６）が入力されると、各映像信号が正常であるか否かを判定し、正常な映像信号はそのまま後段の同期回路４に出力し、正常でない映像信号については映像信号を解析し、解析結果を表示するための映像信号を同期回路４に出力する。
【００８３】
正常でない映像信号の解析結果としては、例えば、クロック周波数、水平解像度、垂直解像度などである。また、正常でない映像信号を解析できない場合には、「No Signal」表示を行うようにする。
【００８４】
基本的には、映像信号のクロックと同期信号の周波数を解析し、その解析結果を表示する。具体的には、フレームレートに相当する垂直同期信号(Vsync)の周波数、水平同期信号(Hsync)の周波数と１垂直期間中の数、１水平期間中のデータの数、１垂直期間中のライン数等を解析して表示する。さらに、必要であれば、Vsync、Hsyncの長さやフロントポーチ、バックポーチの長さなども表示する。
【００８５】
信号ケーブルの接続ミスや、信号ケーブルの断線、接触不良、あるいは、信号源の設定ミスなどで、送信に不具合が生じることがあり、その場合、どのＣＨの信号がどのように不具合が生じているかを、図５に示すように、入力されている映像信号の状態を表示することによって、判断することが容易になる。
【００８６】
なお、本実施の形態では、正常でない映像信号が入力される分割表示エリアには、正常でない映像信号の解析結果を表示する例について説明したが、以下の実施の形態３では、正常でない映像信号が入力される分割表示エリアには、黒べた表示もしくは、他の色を表示する例について説明する。
【００８７】
＜実施の形態３＞
（映像表示装置の概略説明）・・・・・図６
本発明の他の実施の形態について説明すれば、以下の通りである。なお、前記実施の形態１、２と同じ部材には、同じ符号を付記し、その詳細な説明は省略する。
【００８８】
図６は、本実施の形態に係る映像表示装置１０３の概略構成ブロック図である。
【００８９】
上記映像表示装置１０３は、図６に示すように、液晶パネル１、液晶パネル駆動回路２、映像信号処理装置１３０を含んでいる。ここで、上記映像表示装置１０３は、前記実施の形態２の映像表示装置１０２とほぼ同じ構成であるが、映像信号処理装置１３０に含まれる入力信号判定回路６の機能が少し異なる。
【００９０】
すなわち、本実施の形態では、上記入力信号判定回路６は、分割表示エリアに表示可能でないと判断された映像信号（正常でない映像信号）を、当該分割表示エリア全面を同一色で表示する色信号に置き換え、後段の同期回路４に出力する。
【００９１】
上記色信号としては黒色を用いる。つまり、分割表示エリアを黒べた表示する。
【００９２】
これにより、図7に示すように、正常でない映像信号が入力されるべき分割表示エリアは黒べた表示となり、黒べた表示の分割表示エリアに入力される映像信号に不具合が生じていることが一目瞭然となる。
【００９３】
なお、上記色信号としては、黒べた表示を行なうための黒信号だけでなく、他の色の信号であってもよい。
【００９４】
また、上記の各実施の形態においては、解像度が８ｋ４ｋ（７６８０×４３２０ドット）のスーパーハイビジョン映像を表示する映像表示装置を想定し、１６本のＦｕｌｌ  ＨＤ（１９２０×１０８０ドット）の映像信号を使用する例について説明したが、本発明は、上記のような例に限定されるものではなく、例えば４ｋ２ｋ（３８４０×２１６０ドット）の映像と、４本のＦｕｌｌ  ＨＤ（１９２０×１０８０ドット）の映像信号を使用する場合であってもよく、他の組み合わせであってもよい。
【００９５】
上記の各実施の形態では、映像処理装置（１１０、１２０、１３０）を映像表示装置（１０１、１０２、１０３）に搭載された例について説明したが、これに限定されるものではなく、映像処理装置を例えばブルーレイレコーダ等の表示装置を備えていない映像信号を出力する機器（電子機器）に適用してもよい。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９７】
本発明は、映像を分割して表示する映像表示装置に利用することができる。
【符号の説明】
【００９８】
１  液晶パネル
２  液晶パネル駆動回路
３  映像調整回路
４  同期回路（同期部）
５  信号分配回路（信号置換部）
６  入力信号判定回路（信号置換部、表示基準判定部）
１０１  映像表示装置
１０２  映像表示装置
１０３  映像表示装置
１１０  映像信号処理装置
１２０  映像信号処理装置
１３０  映像信号処理装置
【図１】
0005940890.tif 000002
【図２】
0005940890.tif 000003
【図３】
0005940890.tif 000004
【図４】
0005940890.tif 000005
【図５】
0005940890.tif 000006
【図６】
0005940890.tif 000007
【図７】
0005940890.tif 000008